(57)【要約】  本発明は、セルラー通信ネットワークの基地局（１００）を操作する方法に関し、前記基地局（１００）は、少なくとも１つのアンテナ（１１０）を含み、前記方法は、アンテナ（１１０）および／または前記アンテナの指向性パターンの傾斜角（θ）を調整（２００）するステップを含み、調整（２００）の前記ステップは、前記アンテナ（１１０）に関連する信号伝送の品質を特徴づける品質尺度に基づいて実行される。
2013541862.tif 000002
【特許請求の範囲】
【請求項１】
セルラー通信ネットワークのための基地局（１００）を操作する方法であって、前記基地局（１００）は、少なくとも１つのアンテナ（１１０）を含み、前記方法は、前記アンテナ（１１０）および／または前記アンテナの指向性パターンの傾斜角（θ）を調整（２００）するステップを含み、調整（２００）の前記ステップは、前記アンテナ（１１０）に関連する信号伝送の品質を特徴づける品質尺度に基づいて実行される方法。
【請求項２】
−事前に定めた量（Δθ）だけ増加または減少することによって前記傾斜角（θ）を調整（２００）するステップと、
−前記調整（２００）の後に前記品質尺度の値を決定（２１０）するステップと、
−前記品質尺度が増加したかどうかを評価（２２０）するステップと
を含む請求項１に記載の方法。
【請求項３】
調整（２００）、決定（２１０）、および評価（２２０）の前記ステップは、事前に定めた反復の最大数まで、または前記品質尺度の事前に定めた増加が検出されるまで繰り返される請求項２に記載の方法。
【請求項４】
前記傾斜角（θ）が調整（２００）の前記ステップで増加または減少する量（Δθ）は、前記基地局（１００）の動作パラメータ、反復の現在数、反復の最大数、前記品質尺度の現在値、調整の以前のステップの前に取得された前記品質尺度の値、ランダム・イベント、または擬似ランダム・イベントの少なくとも１つに基づいて決定（３１０）される請求項３に記載の方法。
【請求項５】
前記品質尺度は、前記アンテナ（１１０）を介して前記基地局（１００）によってサービスを提供される少なくとも１つの端末から受信されたフィードバック情報に基づいて決定される請求項の１乃至４のいずれか１項に記載の方法。
【請求項６】
前記基地局（１００）は、複数のアンテナ（１１０）を含み、そのそれぞれは特定のセクタにサービスを提供し、調整（２００）の前記ステップは、一度に１つのアンテナ（１１０）または関連するセクタに対してのみそれぞれ実行される請求項の１乃至５のいずれか１項に記載の方法。
【請求項７】
調整（２００）の前記ステップは、事前に定めたスケジュール、前記基地局（１００）または隣接する基地局の動作パラメータ、ランダム・イベントの少なくとも１つにより繰り返される請求項の１乃至６のいずれか１項に記載の方法。
【請求項８】
調整（２００）の前記ステップは、特に前記アンテナ（１１０）を介して進行中のデータ伝送を中断することなく動的に実行される請求項の１乃至７のいずれか１項に記載の方法。
【請求項９】
セルラー通信ネットワークのための基地局（１００）であって、前記基地局（１００）は、少なくとも１つのアンテナ（１１０）を含み、前記基地局（１００）は、前記アンテナ（１１０）に関連する信号伝送の品質を特徴づける品質尺度に基づいて、前記アンテナ（１１０）および／または前記アンテナの指向性パターンの傾斜角（θ）を調整（２００）するように構成される基地局（１００）。
【請求項１０】
前記基地局（１００）は、
−事前に定めた量（Δθ）だけ増加または減少することによって前記傾斜角（θ）を調整（２００）し、
−前記調整（２００）の後に前記品質尺度の値を決定（２１０）し、
−前記品質尺度が増加したかどうかを評価（２２０）する
ように構成される請求項９に記載の基地局（１００）。
【請求項１１】
前記基地局（１００）は、調整（２００）、決定（２１０）、および評価（２２０）の前記ステップは、事前に定めた反復の最大数まで、または前記品質尺度の事前に定めた増加が検出されるまで繰り返されるように構成される請求項１０に記載の基地局（１００）。
【請求項１２】
前記基地局（１００）は、前記基地局（１００）の動作パラメータ、反復の現在数、反復の最大数、前記品質尺度の現在値、調整の以前のステップの前に取得された前記品質尺度の値、ランダム・イベント、または擬似ランダム・イベントの少なくとも１つに基づいて、前記傾斜角（θ）が調整（２００）の前記ステップで増加または減少する量（Δθ）を決定するように構成される請求項１０または１１のいずれか１項に記載の基地局（１００）。
【請求項１３】
前記基地局（１００）は、前記アンテナ（１１０）を介して前記基地局（１００）によってサービスを提供される少なくとも１つの端末から受信されたフィードバック情報に基づいて前記品質尺度を決定するように構成される請求項９乃至１２のいずれか１項に記載の基地局（１００）。
【請求項１４】
前記基地局（１００）は、複数のアンテナ（１１０）を含み、そのそれぞれは特定のセクタにサービスを提供し、前記基地局（１００）は、一度に１つのアンテナ（１１０）または関連するセクタに対してのみ調整（２００）の前記ステップをそれぞれ実行するように構成される請求項９乃至１３のいずれか１項に記載の基地局（１００）。
【請求項１５】
前記基地局（１００）は、特に前記アンテナ（１１０）を介して進行中のデータ伝送を中断することなく調整（２００）の前記ステップを動的に実行するように構成される請求項９乃至１３のいずれか１項に記載の基地局（１００）。
【発明の詳細な説明】
【技術分野】
【０００１】
本発明は、セルラー通信ネットワークのための基地局を操作する方法に関する。本発明は、セルラー通信ネットワークのための基地局にさらに関する。
【背景技術】
【０００２】
セルラー通信ネットワークの従来の基地局は、現場での基地局の設置の間に取り付けられ調整される１つまたは複数のアンテナを持つアンテナ・システムを含む。特に、アンテナの特徴的な指向性パターンの主ビーム方向と水平面との間の傾斜角は、設置の間にサービス技術者によって手作業で調整される。設置後は、傾斜角は固定されたままになる。
【０００３】
基地局の動作特性に関する柔軟性を増大させる、より精巧な基地局および基地局を操作する方法を提供する必要がある。
【発明の概要】
【課題を解決するための手段】
【０００４】
本発明によると、基地局を操作する上記の方法に関して、この目的は、アンテナおよび／または前記アンテナの指向性パターンの傾斜角を調整することによって達成され、調整の前記ステップは、前記アンテナに関連する信号伝送の品質を特徴づける品質尺度に基づいて実行される。前記品質尺度に基づく傾斜角に対する本発明の調整により、基地局を操作するために追加的な自由度が提供されるので有利である。したがって、基地局によってサービスを提供される端末との進行中のデータ伝送は、リアルタイム、または少なくともほぼリアルタイムに最適化することができる。つまり、進行中のデータ伝送を特徴づける品質尺度を改善するために、進行中のデータ伝送の間に傾斜角を変更することができる。
【０００５】
特に、一実施形態によると、傾斜角の調整は、動的に、つまり傾斜角が調整されるアンテナを介して進行中のデータ伝送を中断することなく実行される。
【０００６】
好ましくは、信号対干渉雑音比（ＳＩＮＲ）は、信号伝送の品質を評価するための品質尺度として基地局によって使用される。もちろん、ビット誤り率（ＢＥＲ）など他の適切なパラメータも基地局と端末との間の信号伝送の品質を特徴づけるために使用することができる。
【０００７】
あるいは、または前記方法に加えて、端末から基地局に伝送されたアップリンク信号は、信号伝送の品質を特徴づける品質尺度として基地局によって用いることができる。特に、たとえば、位相制御されたアンテナ・システムなど、複数のアンテナ素子を装備した場合、基地局は、たとえば、本質的に（ｐｅｒ  ｓｅ）知られている到来方向（ＤｏＡ）推定という意味で、それらの位相差に関してアップリンク方向に受信された信号を分析することができる。つまり、ＤｏＡパラメータに関して受信したアップリンク伝送の評価から、基地局は、前記アップリンク伝送に使用された傾斜角は、まだ最適でない、またはたとえば、以前に設定された傾斜角を超えて少なくともいくらかの改善をもたらしたことを決定することができる。したがって、ＤｏＡパラメータを分析することによって、さらに傾斜角を変更することにより、改善を達成できるかどうかを正確に評価するために、さらに大きい自由度が基地局に提供される。
【０００８】
一般的に、傾斜角の調整は異なる方法で実行することができる。第１に、基地局のアンテナが位相制御されたアンテナである場合、その指向性パターンは、前記アンテナのアンテナ素子に供給された少なくとも１つの信号の位相を変更することによって、動的に制御することができ（これは通常、対応するアンテナ・コントローラによって行われる）、傾斜角の調整は、それに対応して指向性パターンを制御することにより、場合により達成することができる。つまり、アンテナは、前記指向性パターンの主ローブの軸と水平面との間の傾斜角を変更するように、電気的に制御することができる。
【０００９】
第２に、基地局のアンテナは位相制御されたアンテナではなく、指向性パターン、特に主ローブ軸の傾斜角を電気的に制御する可能性のない従来のアンテナの場合、実施形態において傾斜角の調整は、たとえば、指向性パターンの主ローブによって定義された伝播の方向に本質的に垂直に延在する水平面の軸など、事前に決定された軸の周りにアンテナを回転させる機械的な駆動手段によって達成することができる。もちろん、前記方法の組み合わせも傾斜角の調整に用いることができる。
【００１０】
好適な実施形態によると、基地局を操作する方法は、
−事前に定めた量だけ増加または減少することによって傾斜角を調整するステップと、
−前記調整の後に前記品質尺度の値を決定するステップと、
−前記品質尺度が増加したかどうかを評価するステップと
を含む。
【００１１】
品質尺度が調整の第１のステップの後に既に本質的に増加している場合、プロセスは終了することができる。品質尺度の増加または減少は、調整前に取得された対応する値と、前記調整の後に得られた前記品質尺度の値を比較することによって決定することができる。
【００１２】
一実施形態によると、調整、決定、および評価の前記ステップは、事前に定めた反復の最大数まで、または前記品質尺度の事前に定めた増加が検出されるまで繰り返すことができることが提案される。
【００１３】
さらに有利な実施形態によると、調整の前記ステップで傾斜角が増加または減少する量は、前記基地局の動作パラメータ、反復の現在数、反復の最大数、前記品質尺度の現在値、調整の以前のステップの前に取得された前記品質尺度の値、ランダム・イベント、または擬似ランダム・イベントの少なくとも１つに基づいて決定される。
【００１４】
以下のような基地局の動作パラメータを考慮することで、
−現在サービスを提供されている端末／ユーザーの数、
−現在サービスを提供されている一部またはすべてのユーザー接続に対する信号対干渉雑音比（ＳＩＮＲ）、
−基地局によって現在サービスを提供されている端末と基地局との間の距離の分布
有利なことに、基地局の特定の操作シナリオへと、実施形態により調整を正確に適応させることができる。
【００１５】
たとえば、比較的多くの端末がサービスを提供されていて、それらの距離分布がやや均一な場合、つまり、基地局に対してさまざまな距離に多くの端末がある場合、傾斜角の調整の実行は、傾斜角調整のために考慮されたアンテナによってサービスを提供されるセルまたはセクタの境界に位置する単一の端末に関連するＳＩＮＲ値の突然の劣化を回避するために、傾斜角に対して比較的小さい変更を用いて始めるべきであると決定することができる。
【００１６】
しかし、たとえば、距離分布が中間距離値でピークになる場合、これが意味するのは、多数の端末が基地局から中程度の距離内にあることであり、傾斜角の本質的な変更だけがそれら多数の端末に影響するため、傾斜角の調整の実行は、傾斜角に対して比較的大きな変更を用いて始めることができると決定することができる。
【００１７】
有利なことに、また、品質尺度が所望の値に収束するように対処するために、反復から反復へと調整するステップの間に傾斜角が変更される量を変更することができる。つまり、傾斜角が変更される量は、第１の反復から次の反復へと減らすことができる。
【００１８】
他の例として、調整のステップの間に傾斜角が変更される量は、また、調整の最後のステップの前に取得されるＳＩＮＲと調整の最後のステップの後に取得されるＳＩＮＲとの差異に基づいて選択することができる。
【００１９】
ランダム・イベントまたは擬似ランダム・イベントは、また、傾斜角が変更される量を決定できる基準を形成することができる。たとえば、基地局によって検知できる真のランダム・イベントは、新しい端末の到着時間または端末とのデータ接続の期間であり、擬似ランダム・イベントは、本質的に知られている方法で基地局の処理手段によって生成することができる。ランダム・イベントまたは擬似ランダム・イベントを考慮することは、たとえば、統計的最適化アルゴリズムを実行するのに役立つ場合がある。これは、また、他の実施形態によると、たとえば、基地局の考慮されたアンテナによってサービスを提供されるすべての端末の平均ＳＩＮＲなど、事前に定めたターゲット機能（ｔａｒｇｅｔ  ｆｕｎｃｔｉｏｎ）または適合性機能により最適な傾斜角を決定するために用いることができる。
【００２０】
さらに有利な実施形態によると、実施形態による傾斜角の調整が依存する前記品質尺度、たとえばＳＩＮＲは、前記アンテナを介して基地局によってサービスが提供される少なくとも１つの端末から受信されるフィードバック情報に基づいて決定される。たとえば、基地局によってサービスを提供される端末は、基地局からのダウンリンク・データ伝送のために決定したＳＩＮＲ値を直接転送することができる。
【００２１】
さらに有利な実施形態によると、基地局は複数のアンテナを含み、たとえば約１２０°のセクタなど、それぞれが特定の空間的なセクタにサービスを提供し、調整の前記ステップは、一度に１つのアンテナまたは関連するセクタに対してのみそれぞれ実行されるため、隣接するセクタの傾斜角が同時に調整されることが回避される。
【００２２】
さらに有利な実施形態によると、調整の前記ステップは、事前に定めたスケジュール、前記基地局または隣接する基地局の動作パラメータ、ランダム・イベントの少なくとも１つにより繰り返される。つまり、実施形態による調整プロセスは、それ自身がさまざまな反復を含むことができ、１時間に２回など定期的に実行することができる。また、実施形態による調整プロセスは、ランダムに、または基地局のアンテナによってサービスを提供さえる端末の事前に定めた数を超えるように実行することができる。基地局は、また、調整プロセスの伝導のために隣接する基地局の動作パラメータを考慮することができる。
【００２３】
本発明の目的の他の解決策は、請求項９に記載の基地局によって得ることができる。基地局は、前記アンテナに関連する信号伝送の品質を特徴づける品質尺度に基づいて、アンテナおよび／または前記アンテナの指向性パターンの傾斜角を調整するように構成される。
【００２４】
本発明のさらに有利な実施形態は、従属請求項に記載する。
【００２５】
本発明のさらなる機能、態様、および利点は、図面に関して以下に詳細に記述する。
【図面の簡単な説明】
【００２６】
【図１】一実施形態による基地局の簡略化したブロック図である。
【図２】一実施形態による基地局を操作する方法の単純化されたフローチャートである。
【図３】他の実施形態による基地局を操作する方法の単純化されたフローチャートである。
【発明を実施するための形態】
【００２７】
図１は、セルラー通信ネットワークの基地局１００の簡略化したブロック図を表している。基地局１００は、本質的に知られている方法で、それぞれのデータ通信セッションを維持することによって移動体ユーザー端末など多数の端末（図示せず）にサービスを提供することができる。たとえば、基地局１００は、ＧＳＭ（グローバル移動体通信システム）、ＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）、ＬＴＥ（Ｌｏｎｇ  Ｔｅｒｍ  Ｅｖｏｌｕｔｉｏｎ）、ＷｉＭａｘ（ワールドワイド・インターオペラビリティ・フォー・マイクロウェーブ・アクセス）、ＷＬＡＮ（ワイヤレス・ローカル・エリア・ネットワーク）という規格の少なくとも１つにより動作することができる。
【００２８】
基地局１００はアンテナ１１０を含み、その特徴的な指向性パターンは破線形１１１によって表されている。一実施形態によると、アンテナ１１０は、その指向性パターン１１１または少なくとも主ローブの軸１１２が延在する指向性パターン１１１の主ローブの方向を再構成するように電気的に制御することができる。つまり、アンテナ１１０、より正確にはその主ローブ１１２の傾斜角θ（図１から集めることができる）は、主ローブの軸１１２と地面に平行な仮想平面Ｐとの間の角度として定義され、電気的に制御することができる。これは、たとえば、基地局１００の基本操作も制御する処理手段１２０によって達成される。さらに、処理手段１２０は、また、図２および図３に関して以下に説明する実施形態による方法を実行するように構成されている。
【００２９】
他の実施形態によると、基地局１００は、指向性パターンを電子的に制御することができないアンテナ１１０を含むことができる。この場合、傾斜角θは、たとえば、図１の図の平面に垂直である軸の周りにアンテナ１１０を回転させることによって影響を受ける。この目的のために、アンテナ１１０をサポートするために電気機械式アクチュエータ提供することができ、前記アクチュエータは、また、基地局１００の処理手段１２０によって制御される。また、（傾斜角θに関して）電気的に制御可能なアンテナ１１０の機械的駆動機構との組み合わせも可能である。
【００３０】
従来の基地局とは対照的に、そのアンテナは、基地局の設置の間に事前に定められ固定された傾斜角θで取り付けられ、前記アンテナ１１０に関連する信号伝送の品質を特徴づける品質尺度に基づいて、一実施形態による基地局１００は、アンテナ１１０および／またはその指向性パターン１１１の傾斜角θをそれぞれ調整するように構成される。
【００３１】
特に、一実施形態によると、傾斜角の調整は、動的に、つまり傾斜角θが調整されるアンテナ１１０を介して進行中のデータ伝送を中断せずに実行される。
【００３２】
したがって、基地局１００は、基地局１００によってサービスが提供されている端末（図示せず）との進行中の通信プロセスに、指向性パターン１１１によって定義された無線有効領域を動的に適応させることができる。このように、基地局１００とその端末との間のデータ伝送の品質は、場合によっては改善することができる。
【００３３】
好適な実施形態によると、信号伝送の品質を評価するために、信号対干渉雑音比（ＳＩＮＲ）は品質尺度として基地局１００によって使用される。もちろん、ＬＴＥシステムから知られているビット誤り率（ＢＥＲ）またはＣＱＩ（チャネル品質インジケータ）レポートなど、他の適切なパラメータも、基地局１００と端末との間の信号伝送の品質を特徴づけるために使用することができる。
【００３４】
たとえば、基地局１００は、好ましくは定期的に、接続されたモバイル端末からフィードバック情報を受信することができ、前記フィードバック情報は、前記基地局１００からデータを受信するプロセスのために端末によって決定されるＳＩＮＲ値を表している。このフィードバック情報に基づいて、基地局１００の処理手段１２０は、端末（複数可）へのダウンリンク方向に信号伝送の品質を評価することができる。
【００３５】
図２のフローチャートは、基地局１００を操作する方法の好適な実施形態を表している。第１のステップ２００では、傾斜角θは、たとえば、基地局１００の初期化時に処理手段１２０によって定義できる最初の傾斜角値から開始する事前に定めた量によって調整される。
【００３６】
ステップ２００で傾斜角θを調整した後、基地局１００、より正確には処理手段１２０は、ステップ２１０で、少なくとも特定の末端とのダウンリンク・チャネルに対するダウンリンク伝送品質を特徴づける品質尺度としてＳＩＮＲ値を決定する。また、ＳＩＮＲまたは複数の端末へのダウンリンク伝送品質を表す他の適切な品質尺度を決定するか、または基地局１００によって現在サービスを提供されている複数の端末の平均ＳＩＮＲなど平均品質測定を決定することができる。
【００３７】
ステップ２２０では、基地局１００の処理手段１２０は、前のステップ２１０で取得された前記品質尺度が増加したかどうかを評価する。品質尺度の増加または減少は、前記調整２００の後、つまりステップ２１０の間に得られた前記品質尺度の値を調整２００の前に取得された対応する品質尺度値に比較することによって決定することができる。
【００３８】
このように、基地局１００は、ステップ２００で実行された傾斜角θの調整が信号伝送品質に関して改善につながったかどうかを正確に評価することができる。
【００３９】
そうでない場合、つまり調整２００の後に取得されたＳＩＮＲが調整２００の前に設定された古い傾斜角に関して増加していない場合、ステップ２００、２１０、２２０は、事前に定めた反復の数だけ繰り返すことができる。これらの反復の間に、また、ステップ２００内で傾斜角θが調整される量、および調整の方向、つまり現在の傾斜角θが増加されるかどうか、またはステップ２００内で前記量だけ減少するかどうかを変更することができる。
【００４０】
一実施形態によると、その初期値から開始して、傾斜角θは、たとえば、調整のステップごとにその全体的な設定範囲の２％だけ変更することができる。所定の調整メカニズム（電気ビーム・フォーミングまたはアンテナ１１０の機械的な駆動）によって実装できる他の調整ステップも適用することができる。
【００４１】
好ましくは、事前に定めた反復の最大数に到達した場合、ステップ２００、２１０、２２０の反復実施は終了する。あるいは、ステップ２２０の評価を使って、ＳＩＮＲに関して大きな改善が達成されたと決定された場合も反復を終了することができる。
【００４２】
もちろん、特に好ましい実施形態によると、ステップ２００、２１０、２２０は、連続的に、つまり特定回数の反復後に終了することなく繰り返すことができる。この変形形態は、動き回っている多くの端末を含むセルラー通信ネットワークの通常は非常に動的な構造に有利に対応する。実施形態により方法を連続的に繰り返すことによって、現在サービスを提供されている端末の最適な傾斜角を設定することを基地局が常に試みることが保証される。つまり傾斜角の継続的な改善および適応が可能になる。
【００４３】
図３は、基地局１００（図１）を操作する方法の他の実施形態のフローチャートを表している。
【００４４】
第１のステップ３００では、特定の末端へのダウンリンク接続に対して決定されるＳＩＮＲの現在値は、基地局１００でその端末から受信される対応するフィードバック情報を評価する処理手段１２０によって取得される。あるいは、またはさらに、たとえば、複数の端末で平均化されたダウンリンク伝送品質を表す平均ＳＩＮＲ値も考慮することができる。
【００４５】
ステップ３１０において、処理手段１２０は、その量Δθによって、アンテナ１１０の現在の傾斜角０が調整されることを決定する。さらに、ステップ３１０で、現在の傾斜角θの調整の方向、つまり量Δθだけ現在の傾斜角θを増加するか減少するかも決定することができる。
【００４６】
さらに有利な実施形態によると、調整３２０の以下のステップで傾斜角を増加または減少する量Δθは、前記基地局１００の動作パラメータ、反復の現在数、反復の最大数、前記品質尺度の現在値、調整の以前のステップの前に取得された前記品質尺度の値、ランダム・イベント、または擬似ランダム・イベントの少なくとも１つに基づいて決定される。
【００４７】
以下のような基地局１００の動作パラメータを考慮することで、
−現在サービスを提供されている端末／ユーザーの数、
−現在サービスを提供されている一部またはすべてのユーザー接続／端末に対する平均信号対干渉雑音比（ＳＩＮＲ）、
−基地局によって現在サービスを提供されている端末と基地局との間の距離の分布
有利なことに、基地局１００の特定の操作シナリオへと調整３２０を正確に適応させることができる。
【００４８】
たとえば、比較的多くの端末がサービスを提供されていて、それらの距離分布がやや均一な場合、つまり基地局１００に対してさまざまな距離に多くの端末がある場合、傾斜角θの調整の実行は、傾斜角調整のために考慮されたアンテナ１１０によってサービスを提供されるセルまたはセクタの境界に位置する単一の端末に関連するＳＩＮＲ値の突然の劣化を回避するために、傾斜角θに対する比較的小さい変更Δθを用いて始めるべきであると決定することができる。
【００４９】
しかし、たとえば、距離分布が中間距離値でピークになる場合、これが意味するのは、多数の端末が基地局１００から中程度の距離内あることであり、傾斜角θの調整の実行は、傾斜角θの本質的な変更だけが、それら多数の端末に影響を与えられるため、つまりＳＩＮＲ改善につながるため、傾斜角θに対する比較的大きな変更Δθを用いて始めることができると決定することができる。
【００５０】
有利なことに、また、品質尺度が所望の値に収束するように対処するために、反復から反復へと調整３２０のステップの間に傾斜角θが変更される量Δθを変更することができる。つまり、傾斜角θが変更される量Δθは、第１の反復から次の反復へと減らすことができる。
【００５１】
他の例として、調整３２０のステップの間に傾斜角θが変更される量Δθは、また、調整３２０の最後のステップの前に取得されるＳＩＮＲと調整３２０の最後のステップの後に取得されるＳＩＮＲとの差異に基づいて選択することができる。
【００５２】
ランダム・イベントまたは擬似ランダム・イベントは、また、傾斜角θが変更される量Δθを決定できる基準を形成することができる。たとえば、基地局１００によって検知できる真のランダム・イベントは、新しい端末の到着時間または端末とのデータ接続の期間であり、擬似ランダム・イベントは、本質的に知られている方法でその処理手段１２０によって生成することができる。ランダム・イベントまたは擬似ランダム・イベントを考慮することは、たとえば、統計的最適化アルゴリズムを実行するのに役立つ場合がある。これは、他の実施形態によると、また、たとえば、基地局１００の考慮されたアンテナ１１０によってサービスを提供されるすべての端末の平均ＳＩＮＲなど、事前に定めたターゲット機能または適合性機能により最適な傾斜角を決定するために用いることができる。
【００５３】
傾斜角θが調整されることになっている量Δθを決定するステップ３１０の後に、この調整は、アンテナの指向性パターンのまたは機械的駆動機構の効果的なそれぞれの制御を行う処理手段１２０によって次のステップ３２０でそれぞれ適用される。
【００５４】
ステップ３３０では、つまりステップ３２０の調整の結果として取得される現在のＳＩＮＲが決定され、調整の前にステップ３００で取得される古いＳＩＮＲ値と比較される（ステップ３４０を参照）。ステップ３４０の評価の結果、現在のＳＩＮＲが古いＳＩＮＲを超えた場合、同じ方向に傾斜角θをさらに調整するためにステップ３２０へとプロセスが分岐する。あるいは、傾斜角θが今後調整される特定量Δ０を変更することが望まれる場合、プロセスは、また、ステップ３２０の代わりにステップ３１０に分岐することができ、調整パラメータΔθの新しい決定が可能になる（ブロック３４０からブロック３１０の破線矢印を参照）。
【００５５】
しかし、ステップ３４０の評価の結果、現在のＳＩＮＲが古いＳＩＮＲ以下である場合、ステップ３５０にプロセスが分岐し、調整戦略が再検討される。たとえば、ステップ３５０では、調整の方向、つまり調整パラメータΔθの記号を変更することができる。その後、プロセスは、調整パラメータΔθの絶対値を決定するためにステップ３１０を継続することができる。その後、ステップ３２０で、傾斜角θをさらに調整することができる。
【００５６】
傾斜角θに対する特定の最適化戦略に基づいて、もちろん、ステップ３５０内で調整パラメータΔθをさらに変更することができる。また、たとえば、基地局１００などの動作条件の変更を計上するために、ステップ３５０内で最適化戦略を動的に変更することができる。
【００５７】
他の実施形態によると、図２および図３に関して典型的に上記した調整プロセスは、また、処理手段１２０に格納された、または基地局１００が属するネットワークの中央局によって定義された事前に定めたスケジュールにより繰り返すことができる。
【００５８】
上記図２および図３に関して典型的に上記した調整プロセスの用途は、また、基地局１００の動作パラメータによってトリガすることができる。つまり、同時にサービスを提供される多数の端末が事前に定めたしきい値を超える、または下回る場合、基地局１００は、ステップ２００から２２０もしくはステップ３００から３５０またはそれらの組み合わせを実行することができる。
【００５９】
また、隣接する基地局の動作パラメータ、つまり前記隣接する基地局の負荷などに基づいて、図２および図３に関して典型的に上に説明したように、基地局１００は調整プロセスを実行することができる。
【００６０】
特に好ましい実施形態によると、複数の端末の平均ＳＩＮＲは、ステップ２２０、３４０の品質尺度として使用され、図２および図３に関して典型的に上記した調整プロセスは、基地局１００が、考慮される端末から大量のＳＩＮＲデータを収集した場合のみ伝導されるため、傾斜角の調整の結果、伝送品質が改善するかどうかを正確に判断することができる。
【００６１】
傾斜角の調整に関する本発明の原理は、また、２つ以上のアンテナ１１０を含む基地局１００に拡張することができ、複数のアンテナのそれぞれは、無線有効範囲により異なる空間的なセクタにサービスを提供する。これらの実施形態では、調整２００の前記ステップ、および以下のステップ２１０、２２０は、好ましくは一度にそれぞれ１つのアンテナ１１０または関連するセクタに対してのみ実行される。
【００６２】
上に説明した実施形態は、セルラー通信ネットワークの基地局１００に限定されない。傾斜角の調整に関する本発明の原理は、その傾斜角（または対応する指向性パターンの主ローブ１１１の傾斜角）をたとえば電気的にまたは電気機械による方式で制御できる少なくとも１つのアンテナを持つ任意の基地局に適用することができる。典型的には、原理は、ＧＳＭ、ＵＭＴＳ、ＬＴＥ、およびＷｉＭＡＸ基地局に適用することができる。
【００６３】
有利なことに、本発明の原理を適用すると、ネットワーク計画に必要な労力が軽減し、ネットワークの堅牢さが向上する。さらに、基地局１００またはその処理手段１２０は、本発明の原理を適用することができるため、変化する環境および動作条件に無線アクセス・ネットワークを分散させて適合させることが可能である。
【００６４】
記述および図面は、単に本発明の原理を示すものである。本明細書に明示的に記述または図示していないが、本発明の原理を具体化し、その精神および範囲に含まれるさまざまな配置を当業者であれば考案できることを理解されるだろう。さらに、本明細書に詳述したすべての例は、原則として、読者が本発明の原理、およびその技術を推進する発明者（ら）によって提供された概念を理解するのを支援するために、教育のみを目的とすることを明確に意図するものであり、そのような具体的には詳述された例および条件に限定しないものとして解釈するべきである。さらに、本明細書において、本発明の原理、態様、および実施形態を詳述するすべての記述、およびその特定の例は、その等価物を包含することを意図するものである。
【００６５】
「プロセッサ」と記載した任意の機能ブロックも含む、図に示したさまざまな要素の機能は、専用ハードウェアおよび適切なソフトウェアと連携してソフトウェアを実行する機能を持つハードウェアを使用することで提供することができる。プロセッサによって提供される場合、機能は、単一の専用プロセッサによって、単一の共有プロセッサによって、またはその一部は共有することができる複数の個別のプロセッサによって提供することができる。さらに、「プロセッサ」または「コントローラ」という用語の明示的な使用は、ソフトウェアを実行できるハードウェアを排他的に指すものと解釈するべきではなく、デジタル・シグナル・プロセッサ（ＤＳＰ）ハードウェア、ネットワーク・プロセッサ、特定用途向けＩＣ（ＡＳＩＣ）、フィールド・プログラマブル・ゲートアレイ（ＦＰＧＡ）、ソフトウェアを格納するための読み取り専用メモリ（ＲＯＭ）、ランダム・アクセス・メモリ（ＲＡＭ）、および不揮発性記憶装置を限定することなく、暗黙的に含むことができる。従来および／またはカスタムの他のハードウェアも含むことができる。同様に、図に示したスイッチは、単に概念を示すものである。それらの機能は、プログラム・ロジックの動作を通じて、専用ロジックを通じて、プログラム制御および専用ロジックの対話を通じて、または手動でも、実行することができ、内容からより明確に理解されるように、特定の技術を実装者が選択可能である。
【図１】
2013541862.tif 000003
【図２】
2013541862.tif 000004
【図３】
2013541862.tif 000005
【国際調査報告】
2013541862.tif 000006
2013541862.tif 000007